(57)【要約】【課題】洗濯工程の時間を有効利用し、乾燥工程における時間を短縮できると共に、洗濯工程で発生するエネルギを無駄なく使用することができる洗濯乾燥機を提供する。【解決手段】洗濯物を収容する水槽２と、冷媒を圧縮することより熱を放熱する放熱部１３と、冷媒が膨張されることにより冷媒の周囲の熱を奪う吸熱部１４とを備え、放熱部１３で水槽２に供給する洗濯水を加温し、吸熱部１４で水槽２から排気された乾燥用空気を冷却する洗濯乾燥機１において、吸熱部１４は、洗い工程及びすすぎ工程におい放熱部１３で洗濯水を加温しているときに、膨張した冷媒が冷媒の周囲の熱を奪うことにより発生した冷気を蓄える構成とする。【選択図】図１
2009000235.tif 000002
【特許請求の範囲】
【請求項１】
衣類を収容する洗濯槽と、気体を圧縮することにより熱を放熱する放熱部と、気体が膨張されることにより該気体の周囲の熱を奪う吸熱部とを備え、前記放熱部で前記洗濯槽に供給する洗浄水又は乾燥用空気を加温し、前記吸熱部で前記洗濯槽から排気された乾燥用空気を冷却する洗濯乾燥機において、
前記吸熱部は、
前記放熱部で前記洗浄水を加温しているときに、膨張した気体が該気体の周囲の熱を奪うことにより発生した冷気を蓄える蓄冷手段を備えていることを特徴とする洗濯乾燥機。
【請求項２】
気体を封入するシリンダと、
該シリンダ内を往復動するピストンと、
該ピストンを駆動し、前記シリンダ内に圧縮空間及び膨張空間を生成する駆動手段と
をさらに備え、
前記放熱部は、前記圧縮空間を含み、該圧縮空間から熱を放熱し、
前記吸熱部は、前記膨張空間を含み、該膨張空間に熱を奪う構成としてあることを特徴とする請求項１に記載の洗濯乾燥機。
【請求項３】
前記蓄冷手段の周囲の空気が該蓄冷手段の冷気により凝縮されることで発生した水を貯留する貯水部と、
該貯水部の水を前記洗濯槽に供給する供給手段と
をさらに備えていることを特徴とする請求項１又は２に記載の洗濯乾燥機。
【発明の詳細な説明】
【技術分野】
【０００１】
本発明は、衣類の洗濯及び乾燥を行う洗濯乾燥機に関する。
【背景技術】
【０００２】
特許文献１には、ヒートポンプ装置を用いた洗濯乾燥機が記載されている。この洗濯乾燥機は、圧縮した冷媒と空気又は洗浄水との間で熱交換を行う放熱器を有している。そして、放熱器において、空気又は洗浄水を、冷媒の圧縮熱により温度を上昇させ温風又は温水を生成し、温風又は温水を衣類が収容される水槽に供給している。これにより、洗濯時間及び乾燥時間の短縮を可能としている。また、特許文献１の洗濯乾燥機は、減圧した冷媒と空気との間で熱交換を行う吸熱器を有している。そして、乾燥工程で衣類から蒸発した水分を含み、湿った温風の熱を、吸熱器において、減圧した冷媒に吸収させ、水分を結露させることにより、湿った温風を除湿している。
【特許文献１】特開２００６―３１４５０３号公報
【発明の開示】
【発明が解決しようとする課題】
【０００３】
特許文献１に記載の洗濯乾燥機は、冷媒と空気又は洗浄水との間で熱交換を行う放熱器及び吸熱器を有しているが、吸熱器は、乾燥工程にのみ使用され、洗濯工程では使用されていない。そこで、本発明者は、洗濯工程においても吸熱器を有効利用することにより、洗濯及び乾燥をより効率よく行ない、かつ、省エネルギが可能となることの知見を得た。
【０００４】
本発明は斯かる知見に基づいてなされたものであり、本発明の目的は、乾燥工程において乾燥用空気を冷却する吸熱部を、洗濯工程において冷却された空気の冷気が蓄え可能な構成とすることにより、洗濯工程の時間を有効利用し、乾燥工程における時間を短縮できると共に、洗濯工程で発生するエネルギを無駄なく使用することができる洗濯乾燥機を提供することにある。
【課題を解決するための手段】
【０００５】
本発明に係る洗濯乾燥機は、衣類を収容する洗濯槽と、気体を圧縮することにより熱を放熱する放熱部と、気体が膨張されることにより該気体の周囲の熱を奪う吸熱部とを備え、前記放熱部で前記洗濯槽に供給する洗浄水又は乾燥用空気を加温し、前記吸熱部で前記洗濯槽から排気された乾燥用空気を冷却する洗濯乾燥機において、前記吸熱部は、前記放熱部で前記洗浄水を加温しているときに、膨張した気体が該気体の周囲の熱を奪うことにより発生した冷気を蓄える蓄冷手段を備えていることを特徴とする。
【０００６】
本発明においては、洗濯時に洗濯槽に供給する洗浄水、及び乾燥時に洗濯槽に供給する乾燥用空気を、放熱部で加温している。また、乾燥時に洗濯槽から排気された乾燥用空気を、吸熱部で冷却している。乾燥空気は冷却されることで、含んでいる水分が除湿される。そして、洗浄水を加温しているときに、吸熱部が熱を奪い冷却された空気の冷気が、蓄冷手段に蓄えられる。この冷気は、乾燥時に乾燥用空気を冷却する場合に使用することができる。
【０００７】
また、本発明の洗濯乾燥機は、気体を封入するシリンダと、該シリンダ内を往復動するピストンと、該ピストンを駆動し、前記シリンダ内に圧縮空間及び膨張空間を生成する駆動手段とをさらに備え、前記放熱部は、前記圧縮空間を含み、該圧縮空間から熱を放熱し、前記吸熱部は、前記膨張空間を含み、該膨張空間に熱を奪う構成としてあることを特徴とする。
【０００８】
本発明においては、気体を封入したシリンダ内のピストンを駆動しシリンダ内に圧縮空間と膨張空間とを生成している。そして、放熱部では圧縮空間からの熱が洗浄水に放熱され、吸熱部では周囲の空気が膨張空間に熱が奪われる。即ち、圧縮空間を生成すると同時に膨張空間も生成されることにより、洗浄水の加温及び空気の冷却を同時に行うことができる。
【０００９】
さらに、本発明の洗濯乾燥機は、前記蓄冷手段の周囲の空気が該蓄冷手段の冷気により凝縮されることで発生した水を貯留する貯水部と、該貯水部の水を前記洗濯槽に供給する供給手段とをさらに備えていることを特徴とする。
【００１０】
本発明においては、蓄冷手段の冷気により生成された水分が洗濯槽に供給され、洗濯槽に供給する水の節水が可能となる。
【発明の効果】
【００１１】
本発明によれば、洗濯する洗浄水が吸熱部において温水となるため、温水洗濯を行うことができ、洗濯時間を短縮できる効果を有する。また、洗濯時に吸熱部で冷却された空気を蓄え、乾燥時に用いることにより、洗濯工程において発生した吸熱部のエネルギを有効活用できると共に、乾燥工程における時間を短縮できる効果を有する。
【発明を実施するための最良の形態】
【００１２】
以下、本発明をその実施の形態を示す図面に基づいて詳述する。
【００１３】
図１は、本実施の形態にかかる洗濯乾燥機の側面断面図である。図１における１０は、筐体である。筐体１０は、前方に突に湾曲した前面を有している。筐体１０の前面には、洗濯物を出し入れする円形状の開口１０ａが形成されている。この開口１０ａは、筐体１０の前面の略中央から上方に設けられており、斜め上側に開口している。開口１０ａには、開口１０ａを開閉する扉１０ｂが蝶着されている。
【００１４】
筐体１０には、洗濯水（洗浄水）を溜める水槽２が収容されている。水槽２は、中心軸が筐体１０の前後方向となるように横置きされた略筒状形状であって、前面に開口２ａを有し、背面が閉塞されている。そして、水槽２は、開口２ａが筐体１０の開口１０ａと対向するように中心軸が水平面に対して傾斜した状態で、図示しないダンパにより筐体１０に支持されている。このダンパは、水槽２の上下左右の振動を低減している。なお、筐体１０の開口１０ａ及び水槽２の開口２ａの開口縁には、扉１０ｂを閉止した場合に扉１０ｂと密着するゴム製のパッキン（図示せず）が固着されている。これにより、水槽２が密閉されるようになっている。
【００１５】
筐体１０の上部には、水槽２との間に介在するように洗剤ケース１１が形成されている。洗剤ケース１１は、洗剤又は漂白剤等を収容するケースであって、水槽２内と連通している。また、洗剤ケース１１は、筐体１０の上面の背面側に形成される、水道水を取り込む水道用口１１ａ及び風呂の水を取り込む風呂水用口１１ｂに接続されている。そして、水道用口１１ａ又は風呂水用口１１ｂから取り込まれた水は、洗剤ケース１１内の洗剤又は漂白剤等を含み、水槽２へと給水されるようになっている。なお、水槽２の下部には、水槽２内の洗濯液を排水する排水ホースが接続される排水口が形成されている。
【００１６】
水槽２内には、水槽２と同様に、中心軸が水平面に対して傾斜した状態で、略円筒形状のドラム（洗濯槽）３が収容されている。即ち、水槽２とドラム３の中心軸は平行している。ドラム３は、前面に開口３ａを有し、背面が閉塞されていおり、洗濯物を収容する。そして、ドラム３は、開口３ａが水槽２の開口２ａと対向するように水槽２に収容されている。従って、洗濯物は、筐体１０の開口１０ａ及び水槽２の開口２ａを介してドラム３に出し入れされる。また、ドラム３の周面には、多数の小孔３ｂが形成されている。この小孔３ｂにより、乾燥用空気又は洗濯水がドラム３と水槽２との間を流通可能となっている。
【００１７】
水槽２の背面には、ドラム駆動モータ４及び送風機５が設けられている。ドラム駆動モータ４は、水槽２に収容されるドラム３を、水平面に対して傾斜した状態で軸支している。そして、ドラム３は、ドラム駆動モータ４により水槽２の内周面に沿って回転するようになっている。このドラム３は、内周面に複数の突起（図示せず）を有しており、回転に伴い突起により洗濯物を上方に持ち上げ、上方から落下させる叩き洗いの作用がなされるように構成されている。
【００１８】
送風機５は、モータ５１と、回転するファン５２と、ファン５２を覆うファンケース５３とを有している。ファンケース５３は、水槽２内の乾燥用空気又は洗濯水と取り込む取込口、及び水槽２内へ乾燥用空気又は洗濯水を排出する排出口（何れも図示せず）が形成されている。そして、ファン５２が回転することにより、乾燥用空気又は洗濯水を取込口から取り込み、排出口から排出するようになっている。
【００１９】
なお、ドラム３がより水槽２に収容された状態において、水槽２及びドラム３は、ドラム３の下側の外周面と水槽２の下側の内周面との距離が、ドラム３の上側の外周面と水槽２の上側の内周面との距離よりも大きくなるように構成されている。ここで、上側とは、筐体１０の上面側を言い、下側とは、筐体１０の底面側を言う。
【００２０】
水槽２の下部であって、ドラム３の下側の外周面と水槽２の下側の内周面との間には、加熱ユニット８及び除湿ユニット９が並設されている。図２は、図１のＩＩ−ＩＩ線における断面図である。
【００２１】
加熱ユニット８は、送風ダクト８１と、ヒータケース８２と、ヒータケース８２に収容されたシーズヒータ８３とを有している。送風ダクト８１は、図１に示すように、水槽２の下側の内周面において、水槽２の背面から前面に向かって延設しており、端部が、水槽２の開口２ａの下縁とドラム３の開口３ａの下縁との間に配されている。この一端部には、送風口８１ａが形成されている。また、送風ダクト８１の他端は、送風機５のファンケース５３に設けられた排出口に接続されている。そして、送風機５のファン５２が回転した場合、ファンケース５３から送風ダクト８１に排出された空気は、送風ダクト８１を通り、送風口８１ａからドラム３内に吹き出されるようになっている。
【００２２】
ヒータケース８２は、金属で形成され、送風ダクト８１を通過する空気が通過するように送風ダクト８１に包含されている。シーズヒータ８３は、ヒータケース８２に包含され、乾燥工程においては送風ダクト８１を通過する空気を加熱すると共に、洗い工程又はすすぎ工程においては、ファンケース５３の取込口及び排出口を介して送風ダクト８１に浸入してきた洗濯水を加熱する。
【００２３】
除湿ユニット９は、図２に示すように、水槽２の下側の内周面において、加熱ユニット８の送風ダクト８１に並列して設けられている。除湿ユニット９は、蓄冷材９１が蓄冷ケース９２に充填されており、後述の吸熱部１４から供給された冷気を蓄冷する。図３（ａ）は、除湿ユニットが有するプレートの側面図、図３（ｂ）は、プレートの上面図である。除湿ユニット９は、図３に示す金属製のプレート９３を有している。プレート９３は、蓄冷ケース９２の上部に配設され、蓄冷材９１に蓄えられた冷気により冷却されるようになっている。そして、冷却したプレート９３は、周囲の空気を冷却し、その空気が含む水分を効果的に凝縮させるようになっている。プレート９３は、図３に示すように、表面積が大きくなるように交互に凹凸が形成されている。これにより、空気との接触面積が大きくなり、プレート９３により凝縮される水分の量が多くなる。
【００２４】
除湿ユニット９は、送風機５のファンケース５３に設けられた取込口近傍に配設される。そして、プレート９３により、水分が凝縮した空気、即ち、除湿された空気は、送風機５に取り込まれ、加熱ユニット８の送風ダクト８１に送り出されるようになっている。
【００２５】
筐体１０内の水槽２の下方には、スターリング機関１２が設けられている。図４は、スターリング機関を示す概略図である。スターリング機関１２は、略円筒状の形状のシリンダ１２１、シリンダ１２１内を往復動するピストン１２２、フリーピストンとしてのディスプレーサ１２３を有している。ピストン１２２は、図示しないピストン駆動モータにより往復動するようになっている。シリンダ１２１内において、ピストン１２２とディスプレーサ１２３とは同軸上に間隔をあけて配置され、ピストン１２２およびディスプレーサ１２３によってシリンダ１２１内の作動空間１２４の冷媒を圧縮する圧縮空間１２４Ａと、冷媒を膨張する膨張空間１２４Ｂとに区画される。より詳しくは、作動空間１２４は、ピストン１２２におけるディスプレーサ１２３側の端面よりもディスプレーサ１２３側に位置する空間であり、ピストン１２２とディスプレーサ１２３との間に圧縮空間１２４Ａが形成され、他方に膨張空間１２４Ｂが形成される。即ち、圧縮空間１２４Ａが形成されると同時に膨張空間１２４Ｂも形成される。
【００２６】
さらに、筐体１０の下部には、スターリング機関１２の圧縮空間１２４Ａを囲う放熱部１３と、膨張空間１２４Ｂを囲う吸熱部１４と、放熱部１３及び吸熱部１４とが接続される貯水部１５及び水槽２に洗濯水を供給するポンプ１６とが配設されている。
【００２７】
放熱部１３は、図４に示すように、圧縮空間１２４Ａを囲うように設けられている。そして、放熱部１３内には、圧縮空間１２４Ａにおいて凝縮された冷媒の熱が放熱される。放熱部１３は、ダクト１７ａにより加熱ユニット８の送風ダクト８１と連通しており、水槽２から洗濯水が供給されるようになっている。また、ダクト１７ｂにより貯水部１５に接続しており、貯水部１５に洗濯水を排出するようになっている。これにより、放熱部１３は、水槽２から取り込んだ洗濯水を圧縮された冷媒により加熱し、貯水部１５に送り出すようになっている。
【００２８】
また、ダクト１７ａ、１７ｂには、電磁式の流用調整弁１８ａ、１８ｂが設けられており、流用調整弁１８ａ、１８ｂを接続するダクト１７ｃが設けられている。そして、流用調整弁１８ａ、１８ｂの開度を調節することにより、水槽２から放熱部１３に流れ込む洗濯水の流量及び放熱部１３から流れ出る洗濯水の流速が調節可能となっている。この流量及び流速を調節することにより、洗濯水の熱量の調整が可能となっている。例えば、熱量を大きくする場合には、流量を少なくし、若しくは流速を遅くし、熱量を小さくする場合には、流量を多くし、若しくは流速を速くすることで可能となる。
【００２９】
吸熱部１４は、図４に示すように、膨張空間１２４Ｂを囲うように設けられている。そして、吸熱部１４内の空気は、膨張空間１２４Ｂで低圧となった冷媒により熱が奪われ、冷却される。この吸熱部１４は、ダクト１７ｄにより除湿ユニット８と接続していると共に、ダクト１７ｂに接続するダクト１７ｅにより貯水部１５と接続している。ダクト１７ｄ、１７ｅには、流用調整弁１８ｃ、１８ｄが設けられている。そして、流用調整弁１８ｃを開閉することにより、吸熱部１４内に発生した冷気を除湿ユニット８に供給し、又は遮断することが可能となっている。また、流用調整弁１８ｄを閉じることにより、ダクト１７ｂを通過する加熱された洗濯水の熱がダクト１７ｅを介して吸熱部１４内に浸入することを防止できるようになっている。これにより、吸熱部１４内に発生した冷気が、加熱された洗濯水の熱に奪われることを回避できる。
【００３０】
また、流用調整弁１８ｃ、１８ｄを開放した場合、除湿ユニット９のプレート９３に凝縮された水がダクト１７ｄを通過し、吸熱部１４を介してダクト１７ｅ及びダクト１７ｂから貯水部１５に流れ込むようになっている。
【００３１】
貯水部１５は、放熱部１３から供給される洗濯水、又は、吸熱部１４を介して供給されるプレート９３で凝縮された水を貯留する。貯水部１５にプレート９３で凝縮された水を貯留し、次回洗い工程又はすすぎ工程を行う際に、貯留した水を使用することにより、節水が可能となる。
【００３２】
ポンプ１６は、水槽２の開口２ａの下縁と筐体１０の開口１０ａの下縁との間に給水口１６ａが配される給水ホース１６ｂを有すると共に、貯水部１５と接続している。そして、貯留された水を接続されるポンプ１６により水槽２内に給水する。
【００３３】
図５は、洗濯乾燥機の機能ブロック図である。図５に示すように、洗濯乾燥機１は、制御部２１を有しており、制御部２１により制御される。制御部２１には、上述したドラム駆動モータ４、送風機５、加熱ユニット８、ポンプ１６、及び流量調整弁１８ａ〜１８ｄが接続されており、各機器を駆動する。
【００３４】
また、制御部２１は、操作部２２、温度センサ２３、水位センサ２４、給水ポンプ２５、及びピストン駆動モータ２６が接続されている。操作部２２は、使用者により操作され、制御部２１に操作信号を出力する。温度センサ２３は、ダクト１７ｂに配設されており、放熱部１３により加熱された洗濯水の温度を検出し、制御部２１に出力する。制御部２１は、温度センサ２３からの検出した温度に基づいて、流用調整弁１８ａ、１８ｂの開度を制御する。水位センサ２４は、水槽２内に配設されており、水槽２内の洗濯槽の水量を検出し、制御部２１に出力する。給水ポンプ２５は、洗剤ケース１１と水道用口１１ａ及び風呂水用口１１ｂとの間に配設され、水道用口１１ａ又は風呂水用口１１ｂから水を取り込む。制御部２１は、水位センサ２４からの検出した水位に基づいて、給水ポンプ２５を制御する。ピストン駆動モータ２６は、スターリング機関１２のピストン１２２を駆動する。
【００３５】
次に、以上のように構成された洗濯乾燥機１における、洗い工程及びすすぎ工程と、乾燥工程との動作について説明する。図６は、各機器の駆動タイミングを示すタイムチャートである。図６において、各機器が駆動する場合をオン、駆動しない場合をオフとしている。
【００３６】
洗濯乾燥機１は、洗い工程及びすすぎ工程において、水位センサ２４の検出結果に基づいて給水ポンプ２５を制御し、水道用口１１ａ又は風呂水用口１１ｂから水槽２内に給水する。そして、ドラム駆動モータ４を駆動し、洗濯物を収容するドラム３を回転させる。水槽２内の洗濯水は、ドラム３の小孔３ｂを介して、水槽２とドラム３との間を流動し、洗濯物の洗い又はすすぎを行う。また、加熱ユニット８を駆動し、送風機５のファンケース５３を介して送風ダクト８１に浸入した水槽２内の洗濯水をシーズヒータ８２で加熱し、温水にする。
【００３７】
さらに、洗い工程及びすすぎ工程が開始された場合、スターリング機関１２のピストン駆動モータ２６を駆動し、作動空間１２４に圧縮空間１２４Ａと膨張空間１２４Ｂとを形成する。そして、流用調整弁１８ａ、１８ｂを調節し、送風ダクト８１に浸入した洗濯水を放熱部１３に給水する。そして、放熱部１３が囲繞する圧縮空間１２４Ａ内の圧縮した冷媒の熱により給水された放熱部１３内の洗濯水を加熱する。加熱され温水となった洗濯水を、貯水部１５に供給し、ポンプ１６により水槽２へと給水する。このように、水槽２へと給水する洗濯水を加熱し温水とすることにより、洗い工程及びすすぎ工程の時間を短縮させることができる。この洗濯水の循環が繰り返されて洗い工程及びすすぎ工程が進行する。
【００３８】
また、洗い工程及びすすぎ工程の進行に伴い、吸熱部１４において、吸熱部１４が囲繞する膨張空間１２４Ｂ内の膨張した冷媒の熱に吸熱部１４内の空気の熱が奪われ、冷気が発生する。この場合、流用調整弁１８ｃ、１８ｄを閉じ、吸熱部１４を閉空間とし、吸熱部１４内に、放熱部１３で加熱された洗濯水の熱が入り込まないようにする。これにより、吸熱部１４内に冷気が蓄えられる。この冷気は、乾燥工程において除湿ユニット９に供給され、除湿ユニット９のプレート９３を冷却する際に使用される。従って、洗い工程及びすすぎ工程時に発生した冷気を蓄え乾燥時に用いることにより、洗い工程及びすすぎ工程において発生したエネルギを有効活用することができる。
【００３９】
洗濯乾燥機１は、洗濯物を乾燥させる乾燥工程において、ドラム駆動モータ４を駆動し、ドラム３を回転させると共に、加熱ユニット８及び送風機５を駆動する。そして、送風機５により送風ダクト８１に送り出された空気が、加熱ユニット８のシーズヒータ８２で加熱される。その後、送風ダクト８１の送風口８１ａからドラム３内へ吹き出る。これにより、加熱された空気がドラム３内の洗濯物に当たり、洗濯物の水分が蒸発する。この水分を含んだ空気は、小孔３ｂからドラム３の外周面と水槽２の内周面との間へと流れ、除湿ユニット９のプレート９３に沿って流れる。
【００４０】
また、流用調整弁１８ｃ、１８ｄを開放し、洗い工程及びすすぎ工程において吸熱部１４内に発生した冷気を除湿ユニット９に供給し、プレート９３を冷却する。この冷却されたプレート９３に、水分を含んだ空気が接触し、冷却される。これにより、プレート９３に沿って流れる空気の水分が効果的に凝縮する。つまり、水分を含んだ空気が十分に除湿されて低湿となる。この低湿となった空気は、送風機５の回転によってファンケース５３内へ吸い込まれた後、送風ダクト８１に送られ、この内部のシーズヒータ８３で加熱されて、ドラム３内へ戻る。この空気の循環が繰り返されて乾燥工程が進行する。
【００４１】
このように、洗い工程及びすすぎ工程において生成された冷気により、プレート９３を冷却させることにより、プレート９３を冷却させるための冷却水が必要となくなる。これにより、節水が可能となる。
【００４２】
また、プレート９３により凝縮された水分がダクト１７ｄ、１７ｅを介して貯水部１５に流れ込む。この貯水部１５に貯留した水を、以降実行する洗い工程又はすすぎ工程で使用することにより、節水が可能となる。
【００４３】
以上説明したように、本実施の形態の洗濯乾燥機１は、洗濯時に水槽２に供給する洗濯水を、放熱部１３で加温している。また、乾燥時に洗濯槽から排気された乾燥用空気を、吸熱部１４で冷却している。乾燥空気は冷却されることで、含んでいる水分が除湿される。そして、洗濯水を加温しているときに、吸熱部１４が熱を奪い冷却された空気の冷気が、吸熱部１４内に蓄えられる。この冷気は、乾燥時に乾燥用空気を冷却する場合に使用することができる。
【００４４】
また、放熱部１３及び吸熱部１４で洗濯水を加熱及び空気を冷却するために、スターリング機関１２を用いることにより、洗濯水の加熱及び空気の冷却を同時に行うことができ、時間の短縮が可能となる。
【００４５】
なお、上述の実施の形態では、洗い工程及びすすぎ工程において、放熱部１３に洗濯水のみを供給し、加熱するようにしているが、乾燥工程において、乾燥用空気を放熱部１３に供給し、加熱し温風とするようにしてもよい。また、洗い工程及びすすぎ工程において、流用調整弁１８ｃ、１８ｄを閉じて吸熱部１４内に発生した冷気を蓄えるようにしているが、吸熱部１４に蓄冷材を配設して、蓄冷材に蓄冷するようにしてもよい。
【００４６】
また、洗濯乾燥機１を、利用していないときに、スターリング機関１２を駆動し、冷気を発生させ、プレート９３において凝縮した水分を貯水部１５に貯水するようにしてもよい。この場合、例えば、深夜にスターリング機関１２を駆動し、プレート９３において凝縮した水分を貯水部１５に貯水しておくことで、洗い工程及びすすぎ工程で使用する水を溜めることができ、節水が可能となる。
【００４７】
以上、本発明の好適な一実施の形態について、具体的に説明したが、各構成及び動作等は適宜変更可能であって、上述の実施の形態に限定されることはない。
【図面の簡単な説明】
【００４８】
【図１】本実施の形態にかかる洗濯乾燥機の側面断面図である。
【図２】図１のＩＩ−ＩＩ線における断面図である。
【図３】（ａ）はプレートの側面図で、（ｂ）はプレートの上面図である。
【図４】スターリング機関を示す概略図である。
【図５】洗濯乾燥機の機能ブロック図である。
【図６】各機器の駆動タイミングを示すタイムチャートである。
【符号の説明】
【００４９】
１    洗濯乾燥機
２    水槽
３    ドラム
１２  スターリング機関
１３  放熱部
１４  吸熱部
【図１】
2009000235.tif 000003
【図２】
2009000235.tif 000004
【図３】
2009000235.tif 000005
【図４】
2009000235.tif 000006
【図５】
2009000235.tif 000007
【図６】
2009000235.tif 000008